(57)【要約】【課題】主としてパチンコ遊戯場で景品として使用される袋菓子を有効な広告宣伝媒体として利用することにあり、菓子用の袋本体に収納ポケット部を設け、この収納ポケット部に広告・宣伝紙を交換自在に収容できるものとして、広告・宣伝のための表示内容の変更を可能にし、不足・余剰等が生じても迅速に対応でき、また無駄にせずに有効利用できるようにする。【解決手段】所要の菓子類を封入収納する袋本体２の外側面に、所定の広告・宣伝内容を表示してある広告・宣伝紙Ｐを交換自在に収容する収納ポケット部３を設ける。また、収納ポケット部３は、Ａ７版程度の大きさの広告・宣伝紙Ｐを収容可能として構成する。【選択図】図１
0003133521.tif 000002
【実用新案登録請求の範囲】
【請求項１】
所要の菓子類を封入収納する袋本体の外側面に、所定の広告・宣伝内容が表示されている広告・宣伝紙を交換自在に収容する収納ポケット部を設けたことを特徴する菓子袋。
【請求項２】
収納ポケット部は、Ａ７版程度の大きさの広告・宣伝紙を収容可能としてある請求項１に記載の袋菓子。
【考案の詳細な説明】
【技術分野】
【０００１】
この考案は、例えばパチンコ遊戯場において、景品として交換提供される所要の菓子類を封入した袋菓子によって、各種の宣伝広告が可能となるようにした菓子袋に関する。
【背景技術】
【０００２】
従来からパチンコ遊戯場では、出玉数に応じて種々の景品と交換できるものとし、その景品の一つとして所要の菓子類を封入した袋菓子が提供されている。この袋菓子は、比較的に小型の小袋、縦横の長さで例えば１５ｃｍ×１０ｃｍ程度の大きさとされ、例えばこれを提供するパチンコ遊戯場の施設名、ホール名称その他が表示されている。
【０００３】
また、広告宣伝媒体の一つとして、ティッシュペーパーを所定大きさとなるように折り畳み、衣服類のポケットに収納できるようにした小型のいわゆるポケットティッシュがある。これは例えば特許文献１に示すウエットティッシュ包装体であり、使用済みのウエットティッシュや広告紙などが入る収納ポケット付き構造としたものである。
【特許文献１】特開２００４−１９６３０３号公報
【考案の開示】
【考案が解決しようとする課題】
【０００４】
パチンコ遊戯場で提供される袋菓子において、例えばホール名等を表示したり、サービス期間等を表示して宣伝したりするとき、それらが使用される数量を予測し、用意しておく必要がある。ところが、用意する数量はあくまでも予測であるから、実際には不足したり、逆に余ったりし、特に提供期間が限定されているときに余剰分が生じた場合では、廃棄せざるを得ない等、その取り扱いは面倒である。また、ポケット型のティッシュペーパーである場合、一般市街地等で無料で配布されていることが多く、これを景品として使用するとしても、遊戯者にとって魅力があるものではない。
【０００５】
そこでこの考案は叙上のような従来存した諸事情に鑑み案出されたもので、その目的は主としてパチンコ遊戯場で景品として使用される袋菓子を有効な広告宣伝媒体として利用できるようにすることにあり、菓子用の袋本体に収納ポケット部を設け、この収納ポケット部内に広告・宣伝紙を交換自在に収容できるものとして、広告・宣伝のための表示内容の変更を可能にし、たとえ不足・余剰等が生じても迅速に対応でき、また無駄にせずに有効利用できる菓子袋を提供することにある。
【課題を解決するための手段】
【０００６】
上述した課題を解決するため、この考案にあっては、所要の菓子類を封入収納する袋本体２の外側面に、所定の広告・宣伝内容が表示されている広告・宣伝紙Ｐを交換自在に収容する収納ポケット部３を設けたことを特徴する。
また、収納ポケット部３は、Ａ７版程度の大きさの広告・宣伝紙Ｐを収容可能として構成することができる。
【０００７】
以上のように構成されたこの考案に係る菓子袋にあって、袋本体２の収納ポケット部３内に広告・宣伝紙Ｐを交換自在に収容することで、例えばパチンコ遊戯場において必要とする広告・宣伝内容に対応した広告・宣伝紙Ｐを収容しておくこととさせ、無駄なく、効率的な広告・宣伝媒体として使用させる。
収納ポケット部３自体内に収容される広告・宣伝紙Ｐの大きさがＡ７版程度としてあることで、一般的に汎用されている用紙大きさを基本として使用させ、また、必要があれば折り畳み収納することで、表示内容を豊富にもし、情報量を多くして広告・宣伝を適確に行わせる。
【考案の効果】
【０００８】
この考案は以上説明したように構成されているため、主としてパチンコ遊戯場で景品として使用される袋菓子を広告宣伝媒体として有効に利用でき、袋本体２に設けた収納ポケット部３内に広告・宣伝紙Ｐを交換自在に収容することで、広告・宣伝の表示内容の変更を可能にし、例えば不足が生じたときの追加、余剰が生じたときの例えば他社への変更使用等によって迅速に対応でき、また無駄にせずに有効利用できる。
【０００９】
すなわちこれはこの考案において、所要の菓子類を封入収納する袋本体２の外側面に、所定の広告・宣伝内容が表示されている広告・宣伝紙Ｐを交換自在に収容する収納ポケット部３を設けたからであり、これによって、広告・宣伝内容の自在な変更、無駄が生じない効率的な広告・宣伝等を可能にする。
【００１０】
広告・宣伝紙Ｐ自体は交換自在であるから、袋菓子１自体を提供する施設・ホールにとって、広告・宣伝内容が予め定められたものを大量に発注、用意する必要はなく、不足あるいは過剰となるリスクが少なく、便利である。
【００１１】
また、収納ポケット部３は、Ａ７版程度の大きさの広告・宣伝紙Ｐを収容可能としてあるから、一般汎用性あるＡ版サイズの用紙を利用して安価に制作でき、また、折り畳み可能な広告・宣伝紙Ｐとすることで多くの情報量を表示することも可能であり、ユーザーに対するアピール力を大きくもできる。
【００１２】
尚、上記の課題を解決するための手段、考案の効果の項夫々において付記した符号は、図面中に記載した構成各部を示す部分との参照を容易にするために付した。この考案は、これらの記載、図面中の符号等によって示された構造・形状等に限定されない。
【考案を実施するための最良の形態】
【００１３】
以下図面を参照してこの考案を実施するための最良の一形態を説明する。図において示される符号１は例えばパチンコ遊戯場における景品として、所定数の出玉と交換される袋菓子である。この袋菓子１は、所要の菓子類を封入収納する袋本体２と、所定の広告・宣伝内容が表示されている広告・宣伝紙Ｐが交換自在に収容されるよう、袋本体２の外側面に設けた収納ポケット部３とから成る。
【００１４】
袋本体２は、所定量の菓子類を封入するに足る容積を有する例えばポリエチレン樹脂シート製袋によって形成されており、菓子類を収納後に閉塞密封されるものとしてある。また、開封が容易となるように例えば側縁に切欠部が形成され、あるいは袋として構成シールするときの熱シール部が強制的にでも剥離できるようにしてある。
【００１５】
袋本体２自体は、封入する菓子類の内容を表示していれば足り、特定の施設名その他が表示されていることは、むしろ好ましくはない。ただ、例えば納入業者において、数種の業種向けに予め用意することもあり、その場合には、納入先の業種に対応した表示が施されることはあり得る。
【００１６】
この袋本体２に設けられた収納ポケット部３は、広告・宣伝紙Ｐを収容するに足りる程度の内部大きさを備え、例えばＡ７版（Ａ４版紙の１／８）程度の大きさの用紙が収納されるようにしてある。もとより、広告・宣伝紙Ｐ自体の大きさはこれに限定されることはなく、折り畳み収容時の大きさでＡ７版程度であっても良く、また広告・宣伝内容、袋本体２自体の大きさ、更には広告・宣伝紙Ｐ自体の折り畳み収納の有無その他の必要に応じて、異なる大きさとすることもできる。
【００１７】
図示例の収納ポケット部３は、袋本体２の両側縁及び一方の端縁におけるシール部分に合致させて重ねてシールするほぼ矩形状のシート片から形成されている。収納ポケット部３自体の形成方法はこれに限定されるものではなく、また形状も矩形であることに限定されない。
【００１８】
広告・宣伝紙Ｐに表示される広告・宣伝内容は、例えば景品として交換提供するホール名、その施設・ホールにおけるサービス期間等とされるも、これに限定されるものでもない。更には広告・宣伝紙Ｐ自体が交換可能であることを考慮すれば、特定の施設・ホール名称とすることに限らないのであり、ある特定のホールのために用意しても、不要となったとき等では他の必要とする施設・ホールによるものとして別に用意した広告・宣伝紙Ｐを交換して収容すればよいものとしてある。
【００１９】
次にこれの使用の一例を説明する。例えば所定のパチンコ遊戯場の景品交換の袋菓子１として使用するとき、袋本体２に設けた収納ポケット部３内に、所定内容の広告・宣伝を表示してある広告・宣伝紙Ｐを収容しておき、これを手交する。
【００２０】
広告・宣伝内容は任意に設定でき、例えば納入業者においてデザインしたもの、遊戯場においてデザインしたものでも良い。そして、予め用意した袋菓子１が不足する事態となった場合には、袋本体２の収納ポケット部３内に必要数の広告・宣伝紙Ｐを収容して対応し、逆に余剰が生じた場合には、広告・宣伝紙Ｐを他の表示の広告・宣伝紙Ｐと交換して対応する。
【図面の簡単な説明】
【００２１】
【図１】この考案を実施するための最良の形態を示す分解斜視図である。
【図２】同じく使用状態の断面図である。
【符号の説明】
【００２２】
Ｐ…広告・宣伝紙
１…袋菓子                              ２…袋本体
３…収納ポケット部
【図１】
0003133521.tif 000003
【図２】
0003133521.tif 000004